(57)【要約】      （修正有）【課題】衝撃を効率良く緩衝することができ、かつデザイン的にも外観的にも好ましい緩衝装置、部品保護装置、およびそれらを備えた時計を提供する．【解決手段】収容部が設けられた本体部２６と、この本体部２６の収容部内に配置されて外部に露出する変形体２７と、この変形体２７が外部から衝撃を受けた際に、その衝撃力を変形体２７の円周方向に分散する衝撃分散部２８と、を備えている。従って、変形体２７が外部から衝撃を受けた際に、衝撃分散部２８によって衝撃力を変形体の円周方向に分散することができるので、衝撃を効率良く緩衝することができると共に、本体部２６から外部に突出する変形体２７の突出量を最小限に抑えることができるので、デザイン的にも外観的にも好ましいものを提供することができる。【選択図】図７
2017227449.tif 000002
【特許請求の範囲】
【請求項１】
収容部が設けられた本体部と、
前記本体部の前記収容部内に配置されて外部に露出する変形体と、
前記変形体が外部から衝撃を受けた際に、その衝撃力を前記変形体の円周方向に分散する衝撃分散部と、
を備えていることを特徴とする緩衝装置。
【請求項２】
請求項１に記載の緩衝装置において、前記衝撃分散部は、前記本体部の前記収容部の内周面と前記変形体の外周面との一方に設けられた分散溝部と、前記本体部の前記収容部の内周面と前記変形体の外周面との他方に設けられ、前記分散溝部内に配置されて、前記変形体が外部から衝撃を受けた際に、前記変形体をその円周方向に変位させる変位部と、を備えていることを特徴とする緩衝装置。
【請求項３】
請求項２に記載の緩衝装置において、前記分散溝部の内部には、前記変位部を衝撃方向と異なる方向に相対的に変位させる溝傾斜部が、前記変形体の円周方向に沿って傾斜して設けられており、前記変位部には、前記変形体が外部から衝撃を受けた際に、前記溝傾斜部に沿って円周方向に相対的に変位する変位傾斜部が、前記溝傾斜部にスライド可能に圧接して設けられていることを特徴とする緩衝装置。
【請求項４】
請求項１〜請求項３のいずれかに記載の緩衝装置において、前記変形体は、前記衝撃分散部によって衝撃力を前記変形体の円周方向に分散する際に、前記変形体をその円周方向に変形させるための複数の変形溝部を備えていることを特徴とする緩衝装置。
【請求項５】
請求項１〜請求項４のいずれかに記載の緩衝装置において、前記衝撃分散部は、前記変形体が外部から衝撃を受けた際に、前記変形体をその円周方向における一方側に変位させる第１の衝撃分散部と、前記変形体をその円周方向における前記一方側と反対側に変位させる第２の衝撃分散部と、を備えていることを特徴とする緩衝装置。
【請求項６】
請求項４に記載の緩衝装置において、前記複数の変形溝部は、前記第１の衝撃分散部と前記第２の衝撃分散部との間に位置する前記変形体の一方の円周上と、これに対向する前記変形体の他方の円周上とに、それぞれ設けられていることを特徴とする緩衝装置。
【請求項７】
請求項１〜請求項６のいずれかに記載の緩衝装置において、前記本体部と前記変形体との間には、前記衝撃分散部が衝撃力を前記変形体の円周方向に分散させて緩衝する際に、前記衝撃分散部で分散されない前記変形体の軸方向の衝撃力を緩衝する緩衝部材が配置されていることを特徴とする緩衝装置。
【請求項８】
請求項１〜請求項７のいずれかに記載の緩衝装置において、前記本体部の前記収容部内に前記変形体を変形可能な状態で取り付ける取付部材を備えていることを特徴とする緩衝装置。
【請求項９】
請求項１〜請求項８のいずれかに記載された緩衝装置と、
機器ケースに設けられて前記緩衝装置で保護される部品と、
を備えていることを特徴とする部品保護装置。
【請求項１０】
請求項９に記載の部品保護装置において、前記部品は、前記機器ケースに設けられた貫通孔内に配置されたセンサユニットのセンサであることを特徴とする部品保護装置。
【請求項１１】
請求項９に記載の部品保護装置において、前記部品は、前記機器ケースに設けられた貫通孔内にスライド可能に配置されたスイッチ装置の操作部材であることを特徴とする部品保護装置。
【請求項１２】
請求項９〜請求項１１のいずれかに記載された部品保護装置を備えていることを特徴とする時計。
【発明の詳細な説明】
【技術分野】
【０００１】
この発明は、腕時計や携帯電話機、携帯情報端末機などの電子機器に用いられる緩衝装置、部品保護装置、およびそれらを備えた時計に関する。
【背景技術】
【０００２】
例えば、腕時計においては、特許文献１に記載されているように、腕時計ケースに取り付けられて外部に突出した竜頭などの釦頭部の外端部を覆って保護する釦保護装置を備えた構成のものが知られている。
【先行技術文献】
【特許文献】
【０００３】
【特許文献１】特開２０１２−１６３３４０号公報
【０００４】
この種の釦保護装置は、釦頭部の両側に位置する腕時計ケースの外面に２つの保護突起部を釦頭部よりも突出させて設け、この保護突起部の一方に可動保護部の一端部を回転可能に取り付け、この可動保護部の他端部を他方向の保護突起部に着脱可能に取り付けることにより、これら２つの保護突起部と可動保護部とで釦頭部の外周を保護するように構成されている。
【発明の概要】
【発明が解決しようとする課題】
【０００５】
しかしながら、このような腕時計の釦保護装置では、腕時計ケースの外部に突出する釦頭部の両側に２つの保護突起部を釦頭部よりも突出させて設け、これら２つの保護突起部に可動保護部を梁渡す構成であるから、外部から衝撃を受けた際に、その衝撃から釦頭部を保護することができても、２つの保護突起部と可動保護部とが腕時計ケースの外部に釦頭部よりも大きく突出するため、外観的にもデザイン的に好ましくないという問題がある。
【０００６】
この発明が解決しようとする課題は、衝撃を効率良く緩衝することができ、かつデザイン的にも外観的にも好ましい緩衝装置、部品保護装置、およびそれらを備えた時計を提供することである。
【課題を解決するための手段】
【０００７】
この発明は、収容部が設けられた本体部と、この本体部の前記収容部内に配置されて外部に露出する変形体と、この変形体が外部から衝撃を受けた際に、その衝撃力を前記変形体の円周方向に分散する衝撃分散部と、を備えていることを特徴とする緩衝装置である。
【発明の効果】
【０００８】
この発明によれば、変形体が外部から衝撃を受けた際に、衝撃分散部によって衝撃力を変形体の円周方向に分散することができるので、衝撃を効率良く緩衝することができると共に、本体部から外部に突出する変形体の突出量を最小限に抑えることができるので、デザイン的にも外観的にも好ましいものを提供することができる。
【図面の簡単な説明】
【０００９】
【図１】この発明を腕時計に適用した第１実施形態を示した拡大正面図である。
【図２】図１に示された腕時計のＡ−Ａ矢視における要部を示した拡大断面図である。
【図３】図２に示されたセンサ部のＢ−Ｂ矢視における要部を示した拡大断面図である。
【図４】図１に示された腕時計のセンサ部を分解して示した拡大斜視図である。
【図５】図４に示された緩衝装置の本体部を示し、（ａ）はその拡大斜視図、（ｂ）はその拡大正面図、（ｃ）は（ｂ）のＣ−Ｃ矢視における拡大断面図、（ｄ）は（ｂ）のＤ−Ｄ矢視における拡大断面図である。
【図６】図４に示された緩衝装置の変形体を示し、（ａ）はその斜め左下側から見た拡大斜視図、（ｂ）はその斜め左上側から見た拡大斜視図、（ｃ）はその斜め右下側から見た拡大斜視図、（ｄ）はその斜め右上側から見た拡大斜視図である。
【図７】図４に示された緩衝装置の衝撃分散部を示した要部の拡大図である。
【図８】この発明を腕時計に適用した第２実施形態を示した拡大正面図である。
【図９】図８に示された腕時計のＥ−Ｅ矢視における要部を示した拡大断面図である。
【図１０】図９に示されたスイッチ装置の操作部材を示した拡大側面図である。
【図１１】図１０に示された操作部材の緩衝装置を分解して示し、（ａ）はそれを右側から見た拡大斜視図、（ｂ）はそれを左側から見た拡大斜視図である。
【図１２】図１１に示された緩衝装置の衝撃分散部を示した要部の拡大図である。
【発明を実施するための形態】
【００１０】
（第１実施形態）
以下、図１〜図７を参照して、この発明を腕時計に適用した第１実施形態について説明する。
この腕時計は、図１〜図３に示すように、腕時計ケース１を備えている。この腕時計ケース１は、本体ケース２と外装ケース３とで構成されている。本体ケース２は、ステンレスなどの金属または硬質の合成樹脂で形成されている。外装ケース３は、ウレタン樹脂などの軟質の合成樹脂で形成され、本体ケース２の外周にこれを覆って装着されている。
【００１１】
この腕時計ケース１の上部開口部、つまり本体ケース２の上部開口部には、図２に示すように、時計ガラス４がパッキン４ａを介して取り付けられている。この場合、時計ガラス４は、その外周部が外装ケース３の内周部によって覆われている。また、この腕時計ケース１の下部、つまり本体ケース２の下部には、裏蓋５が防水リング５ａを介して取り付けられている。
【００１２】
この腕時計ケース１の内部、つまり本体ケース２の内部には、図２に示すように、時計モジュール６が中枠７を介して設けられている。この時計モジュール６は、指針を駆動するための時計ムーブメントや、時刻などの情報を電気光学的に表示する表示パネル、これらを電気的に駆動するための回路部などの時計機能に必要な各種の部品（いずれも図示せず）を備えている。
【００１３】
この腕時計ケース１の１２時側と６時側とには、図１に示すように、バンド取付部８がそれぞれ設けられている。また、この腕時計ケース１の２時側、４時側、８時側、および１０時側に位置する各側部には、スイッチ装置９がそれぞれ設けられている。さらに、この腕時計ケース１の３時側には、センサ部１０が設けられている。
【００１４】
このセンサ部１０は、図２〜図４に示すように、本体ケース２に設けられた貫通孔１１に配置されたセンサユニット１２と、このセンサユニット１２を保護する部品保護装置１３（図４参照）と、を備えている。センサユニット１２は、本体ケース２の貫通孔１１内に配置される圧力センサ１４と、この圧力センサ１４を貫通孔１１内に取り付けるための取付部材１５と、を備えている。
【００１５】
圧力センサ１４は、図２〜図４に示すように、気圧や水圧を検出する部品であり、本体ケース２の貫通孔１１内に配置された状態で、接続部材であるフレキシブルな配線基板１６によって腕時計ケース１内の時計モジュール６と電気的に接続されるように構成されている。この場合、圧力センサ１４は、その外径が貫通孔１１の内径よりも小さく、かつ軸方向の長さが貫通孔１１の軸方向の長さの半分以下の長さに形成されている。
【００１６】
取付部材１５は、図２〜図４に示すように、本体ケース２の貫通孔１１に固定された筒状部材１７と、この筒状部材１７内に配置されて圧力センサ１４の内部側を保持する保持部材１８と、圧力センサ１４の外部側に配置されて圧力センサ１４の外周と筒状部材１７の内周との間を塞ぐ防水部材１９と、この防水部材１９を筒状部材１７と圧力センサ１４とに押し付ける押え部材２０と、を備えている。
【００１７】
筒状部材１７は、図２〜図４に示すように、本体ケース２の貫通孔１１に嵌め込まれて固定される円筒部１７ａと、この円筒部１７ａの外端部に設けられたフランジ部１７ｂと、を備えている。円筒部１７ａは、その外径が貫通孔１１の内径と同じ大きさで、内径が圧力センサ１４の外径とほぼ同じか、それよりも少し大きく形成されている。
【００１８】
また、この円筒部１７ａは、図２〜図４に示すように、その軸方向の長さが貫通孔１１の軸方向の長さとほぼ同じ長さに形成されている。これにより、円筒部１７ａは、本体ケース２の貫通孔１１に嵌め込まれた状態で、ロー付けなどの溶接によって固定されるように構成されている。
【００１９】
フランジ部１７ｂは、図２〜図４に示すように、本体ケース２の円周方向に長いほぼ長方形の板状に形成されている。このフランジ部１７ｂの長手方向における両側部には、後述するビス２１が挿入するビス挿入孔１７ｃがそれぞれ設けられている。この場合、本体ケース２における貫通孔１１の両側に位置する本体ケース２の外面には、ねじ孔２ａがフランジ部１７ｂのビス挿入孔１７ｃと同一軸上でそれぞれ対応して設けられている。
【００２０】
また、フランジ部１７ｂには、図２〜図４に示すように、その中心部に円筒部１７ａの内径よりも大きい座ぐり部１７ｄが設けられている。この座ぐり部１７ｄは、その内径が円筒部１７ａの外径と同じか、それよりも少し小さく形成されている。また、この座ぐり部１７ｄは、その軸方向の長さ（深さ）がフランジ部１７ｂの軸方向の長さ（厚み）とほぼ同じ長さに形成されている。
【００２１】
これにより、筒状部材１７は、図２〜図４に示すように、円筒部１７ａが本体ケース２の貫通孔１１に嵌め込まれ、フランジ部１７ｂが本体ケース２の外面に配置されて、フランジ部１７ｂのビス挿入孔１７ｃが本体ケース２のねじ孔２ａに対応し、この状態で円筒部１７ａが本体ケース２の貫通孔１１にロー付けなど溶接によって固定されると共に、ビス２１がビス挿入孔１７ｃを通してねじ孔２ａに螺合することにより、本体ケース２に取り付けられるように構成されている。
【００２２】
保持部材１８は、図２〜図４に示すように、合成樹脂によってほぼ円筒状に形成され、その軸方向に沿ってスリット溝１８ａが形成されていることにより、径方向に弾力的に変形するように構成されている。すなわち、この保持部材１８は、その外径が筒状部材１７の円筒部１７ａの内径よりも少し大きく、かつ内径が圧力センサ１４の外径よりも少し大きく形成されている。
【００２３】
これにより、保持部材１８は、図２〜図４に示すように、その径方向に圧縮された状態で、圧力センサ１４が挿入された筒状部材１７の円筒部１７ａ内に本体ケース２側から挿入されることにより、本体ケース２の内部側に位置する圧力センサ１４の内端部に当接して装着されるように構成されている。
【００２４】
すなわち、この保持部材１８は、図２〜図４に示すように、筒状部材１７の円筒部１７ａ内に配置された際に、径方向に弾力的に広がることにより、筒状部材１７の円筒部１７ａの内周面に圧接されて固定され、これにより圧力センサ１４の内端部を押えて、圧力センサ１４を筒状部材１７の円筒部１７ａ内に保持するように構成されている。
【００２５】
防水部材１９は、ウレタン樹脂、シリコーン樹脂、エラストマなどの弾性材料からなり、図２〜図４に示すように、リング状に形成されている。すなわち、この防水部材１９は、その外径が筒状部材１７のフランジ部１７ｂに設けられた座ぐり部１７ｄの内径とほぼ同じ大きさで、内径が圧力センサ１４の外径よりも小さく形成されている。また、この防水部材１９は、その軸方向の長さ（厚み）が筒状部材１７の座ぐり部１７ｄの深さよりも少し長く（厚く）形成されている。
【００２６】
これにより、防水部材１９は、図２〜図４に示すように、その内周部が圧力センサ１４の外部側に配置され、外周部が筒状部材１７の座ぐり部１７ｄ内に配置されることにより、圧力センサ１４の外周と筒状部材１７の内周とに跨った状態で配置され、この状態で圧力センサ１４の外周と筒状部材１７の内周との間を塞いで、圧力センサ１４の外周と筒状部材１７の内周との間の防水を図るように構成されている。
【００２７】
押え部材２０は、図２〜図４に示すように、金属製の平板であり、筒状部材１７のフランジ部１７ｂとほぼ同じ外形で、かつほぼ同じ大きさに形成されている。この押え部材２０は、図４に示すように、その中心に流通孔２０ａが設けられ、この流通孔２０ａの両側にビス２１が挿入する挿入孔２０ｂがフランジ部１７ｂのビス挿入孔１７ｃと同一軸上でそれぞれ対応して設けられた構成になっている。
【００２８】
これにより、押え部材２０は、図２〜図４に示すように、防水部材１９を介して筒状部材１７のフランジ部１７ｂの外部にこれと対応して配置され、この状態でビス２１が挿入孔２０ｂおよびフランジ部１７ｂのビス挿入孔１７ｃを通して本体ケース２のねじ孔２ａに螺合して締め付けられることにより、防水部材１９を圧力センサ１４の外端部と筒状部材１７の座ぐり部１７ｄの内端部とに押え付けるように構成されている。
【００２９】
一方、部品保護装置１３は、図２〜図４に示すように、センサユニット１２を保護する保護装置２２（図４参照）と、この保護装置２２に対する衝撃を緩衝する緩衝装置２３と、を備えている。保護装置２２は、本体ケース２の外面にセンサユニット１２を覆って固定されてセンサユニット１２を保護する保護部材２４と、この保護部材２４の外面に配置される第１緩衝部材２５と、を備えている。
【００３０】
保護部材２４は、図２〜図４に示すように、筒状部材１７のフランジ部１７ｂの外形よりも大きい合成樹脂製のほぼ板状に形成されている。すなわち、この保護部材２４は、図４に示すように、本体ケース２側に位置する内面に設けられた枠状部２４ａと、中心部に設けられた流通部２４ｂと、この流通部２４ｂの両側に設けられて押え部材２０の挿入孔２０ｂにそれぞれ同一軸上で対応するビス挿入孔２４ｃと、を備えている。
【００３１】
この場合、枠状部２４ａは、図２〜図４に示すように、取付部材１５における押え部材２０と筒状部材１７のフランジ部１７ｂとの外周を囲む大きさの枠状に形成され、その内部に押え部材２０と筒状部材１７のフランジ部１７ｂとが配置され、この状態で本体ケース２側に位置する内端部が本体ケース２の外面に当接するように構成されている。
【００３２】
これにより、枠状部２４ａは、図２〜図４に示すように、外部から衝撃などの外力が加わった際に、本体ケース２側に位置する内端部が本体ケース２の外面に押し当てられることにより、衝撃などの外力を受け止めると共に、衝撃などの外力に応じて弾力的に変形するように構成されている。この場合、保護部材２４と押え部材２０との間には、僅かな隙間が形成されても良い。この隙間を形成することで、保護部材２４の枠状部２４ａが弾性変形し易くなる。
【００３３】
流通部２４ｂは、図２〜図４に示すように、保護部材２４の中心部に位置して押え部材２０の流通孔２０ａの外形よりも大きい円形領域内に多数の小孔をそれぞれ軸方向に貫通させて設けた構成になっている。保護部材２４のビス挿入孔２４ｃは、その内径が押え部材２０の挿入孔２０ｂ、およびフランジ部１７ｂのビス挿入孔１７ｃの各内径よりも少し大きく形成されている。
【００３４】
この場合、ビス２１は、図３および図４に示すように、頭部２１ａとねじ部２１ｂとを備えている。頭部２１ａは、保護部材２４のビス挿入孔２４ｃに挿入する小径部２１ｃを備えた段差状に形成されている。ねじ部２１ｂは、押え部材２０の挿入孔２０ｂとフランジ部１７ｂのビス挿入孔１７ｃとに挿入されて、本体ケース２のねじ孔２ａに螺合するように構成されている。
【００３５】
これにより、保護部材２４は、図２〜図４に示すように、枠状部２４ａの内部に押え部材２０と筒状部材１７のフランジ部１７ｂとが配置され、枠状部２４ａの内端部が本体ケース２の外面に当接された状態で、ビス２１のねじ部２１ｂが保護部材２４のビス挿入孔２４ｃ、押え部材２０の挿入孔２０ｂ、およびフランジ部１７ｂのビス挿入孔１７ｃに挿入されて本体ケース２のねじ孔２ａに螺入されることにより、本体ケース２の外面に取り付けられるように構成されている。
【００３６】
すなわち、ビス２１は、図３および図４に示すように、ねじ部２１ｂが保護部材２４のビス挿入孔２４ｃ、押え部材２０の挿入孔２０ｂ、およびフランジ部１７ｂのビス挿入孔１７ｃに挿入されて、ねじ部２１ｂが本体ケース２のねじ孔２ａに螺合されて締め付けられた際に、頭部２１ａの小径部２１ｃが保護部材２４のビス挿入孔２４ｃに挿入された状態で、頭部２１ａの段差部が保護部材２４を押圧することにより、保護部材２４を本体ケース２に取り付けるように構成されている。
【００３７】
このため、この保護部材２４は、図２〜図４に示すように、ビス２１によって枠状部２４ａの内端部が本体ケース２の外面に当接した状態で取り付けられた際に、押え部材２０およびフランジ部１７ｂを本体ケース２の外面に押え付けることにより、押え部材２０が防水部材１９を圧力センサ１４の外端部と筒状部材１７の座ぐり部１７ｄの内端部とに押え付けるように構成されている。
【００３８】
第１緩衝部材２５は、図２〜図４に示すように、ウレタン樹脂、シリコーン樹脂、エラストマなどの弾性材料によって形成されている。この第１緩衝部材２５は、保護部材２４と緩衝装置２３との間に配置されたビス２１の頭部２１ａに対する箇所および保護部材２４の流通孔２４ｂに対応する箇所を除く、複数箇所にそれぞれ分割されて貼り付けられている。
【００３９】
この第１緩衝部材２５は、図２〜図４に示すように、その軸方向の長さ（厚み）が、保護部材２４と緩衝装置２３との間の隙間における軸方向の長さよりも少し長く形成されている。これにより、第１緩衝部材２５は、外装ケース３の装着孔部３ｂ内に配置された緩衝装置２３によって、保護部材２４に押し付けられることにより、保護部材２４と緩衝装置２３との間に弾力的に挟まれた状態で取りけられるように構成されている。
【００４０】
一方、緩衝装置２３は、図２〜図４、図７に示すように、収容部２６ａが設けられた本体部２６と、この本体部２６の収容部２６ａ内に配置されて外部に露出する変形体２７と、この変形体２７が外部から衝撃を受けた際に、その衝撃力を変形体２７の円周方向に分散する衝撃分散部２８（図７参照）と、本体部２６と変形体２７との間に配置されて衝撃分散部２８と共に衝撃を緩衝する第２緩衝部材２９と、本体部２６の収容部２６ａ内に変形体２７を変形可能な状態で取り付ける取付部材であるねじ部材３０と、を備えている。
【００４１】
本体部２６は、図２〜図５に示すように、硬質の合成樹脂または金属によってほぼ円形状に形成され、その内部にほぼ円形状の収容部２６ａが本体部２６の外端部に開放されて形成され、この状態で外装ケース３の装着孔部３ｂ内に配置されるように構成されている。この場合、本体部２６は、その外径が保護部材２４の外形よりも大きく、かつ外装ケース３の装着孔部３ｂの内径とほぼ同じ大きさで形成されている。
【００４２】
このため、この本体部２６は、図２〜図５に示すように、その外周面が外装ケース３の装着孔部３ｂの内周面に接触した状態で、外装ケース３の装着孔部３ｂ内に配置されるように構成されている。また、この本体部２６の外周面には、外装ケース３の装着孔部３ｂの内周面に設けられた段差部３ｃに係止される鍔部２６ｂが外周に突出して設けられている。さらに、この本体部２６の底部には、ねじ部材３０のねじ部３０ａが螺着するねじ孔２６ｃが設けられている。
【００４３】
これにより、この本体部２６は、図２〜図５に示すように、外装ケース３の装着孔部３ｂ内に配置された際に、外端部が外装ケース３の装着孔部３ｂから外部に露出し、この状態で鍔部２６ｂが外装ケース３の装着孔部３ｂの段差部３ｃに係止されることにより、第１緩衝部材２５を介して保護装置２２の保護部材２４を押し付けた状態で、外装ケース３の装着孔部３ｂ内に取り付けられるように構成されている。
【００４４】
変形体２７は、図２〜図４、図６に示すように、弾力性を有する合成樹脂によってほぼ円筒状に形成され、本体部２６の収容部２６ａ内に配置されるように構成されている。すなわち、この変形体２７は、その外径が本体部２６の収容部２６ａの内径とほぼ同じ大きさで、かつ内径がねじ部材３０の頭部３０ｂの外径とほぼ同じ大きさに形成されている。
【００４５】
また、この変形体２７の内端部には、図４および図６に示すように、底部が設けられており、この底部には、ねじ部材３０の首下部３０ｃが挿入するねじ挿入孔２７ａが設けられている。このねじ挿入孔２７ａは、その内径が本体部２６のねじ孔２６ｃの内径よりも大きく、かつ変形体２７の内径よりも小さく形成され、本体部２６の収容部２６ａ内に配置された際に、本体部２６のねじ孔２６ｃに同一軸上で対応するように構成されている。
【００４６】
これにより、変形体２７は、図２〜図４、図６に示すように、本体部２６の収容部２６ａ内に配置された状態で、内部にねじ部材３０の頭部３０ｂが配置され、ねじ挿入孔２７ａにねじ部材３０の首下部３０ｃが挿入され、このねじ部材３０のねじ部３０ａが本体部２６のねじ孔２６ｃに螺入して締め付けられて、首下部３０ｃが本体部２６の底面に当接することにより、本体部２６の収容部２６ａ内に変形可能な状態で取り付けられるように構成されている。
【００４７】
第２緩衝部材２９は、図２〜図４に示すように、第１緩衝部材２５と同様、ウレタン樹脂、シリコーン樹脂、エラストマなどの弾性材料によってリング形状に形成され、本体部２６の底面と変形部２７の内端面との間に配置されている。すなわち、この第２緩衝部材２９は、その外径が本体部２６の収容部２６ａの内径とほぼ同じ大きさで、内径がねじ部材３０の首下部３０ｃの外径とほぼ同じ大きさに形成されている。
【００４８】
この第２緩衝部材２９は、図２〜図４に示すように、その軸方向の長さ（厚み）が、ねじ部材３０の首下部３０ｃの軸方向の長さよりも、変形体２７のねじ挿入孔２７ａの軸方向の長さ分だけ短い長さで形成されている。これにより、第２緩衝部材２９は、本体部２６の底面と変形部２７の内端面との間に配置された状態で、ねじ部材３０の首下部３０ｃが挿入されることにより、本体部２６の収容部２６ａ内に変形部２７によって押え付けられた状態で弾力的に取り付けられるように構成されている。
【００４９】
この場合、ねじ部材３０は、図２〜図４に示すように、ねじ部３０ａと頭部３０ｂと首下部３０ｃと流通孔３０ｄとを備えている。ねじ部３０ａは、本体部２６のねじ孔２６ｃに螺合するように形成されている。頭部３０ｂは、変形体２７の内部に配置されて変形部２７を本体部２６の収容部２６ａ内に押し付けるように形成されている。首下部３０ｃは、変形体２７のねじ挿入孔２７ａと第２緩衝部材２９の内部とに挿入し、本体部２６の底面に当接するように形成されている。
【００５０】
このねじ部材３０の流通孔３０ｄは、図２および図４に示すように、ねじ部材３０の中心部にその軸方向に貫通して設けられ、腕時計ケース１の外部と保護装置２２の内部とを連通させるように構成されている。これにより、ねじ部材３０は、本体部２６の収容部２６ａ内に変形体２７を変形可能な状態で取り付けた状態で、流通孔３０ｄによって腕時計ケース１の外部と保護装置２２の内部とが連通するように構成されている。
【００５１】
ところで、緩衝装置２３の衝撃分散部２８は、図４〜図７に示すように、本体部２６の収容部２６ａの内周面に設けられた分散溝部３１と、変形体２７の外周面に突出して設けられて、分散溝部３１内に変形体２７の円周方向に変位可能な状態で配置された変位部３２と、を備え、変形体２７が外部から衝撃を受けた際に、その衝撃力を変形体２７の円周方向に分散するように構成されている。
【００５２】
すなわち、本体部２６の分散溝部３１は、図４〜図７に示すように、その内部に変位部３２を衝撃方向と異なる方向に変位させる溝傾斜部３１ａが、本体部２６の外部側（図７では右側）から内部側（図７では左側）に向けて本体部２６の円周方向（図７では斜め左上側）に傾斜して設けられた構成になっている。
【００５３】
また、変形体２７の変位部３２は、図４〜図７に示すように、変形体２７が外部から衝撃を受けた際に、溝傾斜部３１ａに沿って円周方向（図７では斜め左上側）に変位する変位傾斜部３２ａが、溝傾斜部３１ａにスライド可能に圧接した状態で設けられた構成になっている。
【００５４】
また、変形体２７には、図４および図６に示すように、衝撃分散部２８によって衝撃力を変形体２７の円周方向に分散する際に、変形体２７をその円周方向に変形させるための複数の変形溝部である複数のスリット溝部３３ａ、３３ｂが設けられている。これら複数のスリット溝部３３ａ、３３ｂそれぞれは、変形体２７の内端部から外端部に向けて形成されている。この場合、複数のスリット溝部３３ａ、３３ｂの各内端部それぞれは、変形体２７の外周面から内周面に連通して形成されている。
【００５５】
これにより、変形体２７は、図４および図６に示すように、衝撃分散部２８によって衝撃力が変形体２７の円周方向に分散される際に、複数のスリット溝部３３ａ、３３ｂのうち、一部（例えば図６（ｂ）では１２時側）のスリット溝部３３ａが円周方向に縮むように変形し、この一部のスリット溝部３３ａの両側に位置する変形体２７の一部が互いに圧縮する方向に変形するように構成されている。
【００５６】
また、この変形体２７は、図４および図６に示すように、衝撃分散部２８によって衝撃力が変形体２７の円周方向に分散される際に、複数のスリット溝部３３ａ、３３ｂのうち、他方の一部（例えば図６（ｂ）では６時側）のスリット溝部３３ｂが円周方向に広がるように変形し、この他方の一部のスリット溝部３３ｂの両側に位置する変形体２７の他方の一部が互いに膨張する方向に変形するように構成されている。
【００５７】
すなわち、衝撃分散部２８は、図４〜図７に示すように、変形体２７が外部から衝撃を受けた際に、変形体２７をその円周方向における一方側（例えば図６（ｂ）では反時計回り方向）に変位させる第１の衝撃分散部２８ａと、変形体２７をその円周方向における一方側と反対側（例えば図６（ｂ）では時計回り方向）に変位させる第２の衝撃分散部２８ｂと、を備えている。
【００５８】
これら第１の衝撃分散部２８ａと第２の衝撃分散部２８ｂとは、図５および図６に示すように、例えば３時と９時とを結ぶ対角線上に位置して互いに対向して設けられている。すなわち、第１の衝撃分散部２８ａは、例えば３時側に位置して設けられている。また、第２の衝撃分散部２８ｂは、例えば９時側に位置して設けられている。このため、変形体２７は、第１の衝撃分散部２８ａと第２の衝撃分散部２８ｂとによって本体部２６の収容部２６ａ内にガタつかないように、弾力的に保持されるように構成されている。
【００５９】
すなわち、変形体２７は、図６（ｂ）および図７に示すように、３時側の第１の衝撃分散部２８ａによって反時計回り方向に付勢され、９時側の第２の衝撃分散部２８ｂによって時計回り方向に付勢されていることにより、変形体２７の円周方向と軸方向とにガタつきが生じないように、本体部２６の収容部２６ａ内に弾力的に保持されるように構成されている。
【００６０】
この場合、第１の衝撃分散部２８ａは、図５〜図７に示すように、変位部３２を衝撃方向と異なる方向に変位させる分散溝部３１の溝傾斜部３１ａが、変形体２７の円周方向における一方側、例えば、図５（ｂ）では反時計回り方向に位置する１２時側（図７では斜め左上側）に向けて次第に競り上がるように傾斜して設けられた構成になっている。
【００６１】
また、この第１の衝撃分散部２８ａは、図６および図７に示すように、変形体２７が外部から衝撃を受けた際に、変位部３２の変位傾斜部３２ａが、溝傾斜部３１ａに沿って円周方向における一方側、例えば、図６（ｂ）では反時計回り方向に位置する１２時側（図７では斜め左上側）に向けてスライドしながら変位するように構成されている。
【００６２】
一方、第２の衝撃分散部２８ｂは、図５〜図７に示すように、変位部３２を衝撃方向と異なる方向に変位させる分散溝部３１の溝傾斜部３１ａが、変形体２７の円周方向における一方側と反対側、例えば、図５（ｂ）では時計回り方向に位置する１２時側（図７では斜め左上側）に向けて次第に競り上がるように傾斜して設けられた構成になっている。
【００６３】
また、この第２の衝撃分散部２８ｂは、図６および図７に示すように、変形体２７が外部から衝撃を受けた際に、変位部３２の変位傾斜部３２ａが溝傾斜部３１ａに沿って円周方向における一方側と反対側、例えば、図６（ｂ）では時計回り方向に位置する１２時側（図７では斜め左上側）に向けてスライドしながら変位するように構成されている。
【００６４】
この場合、複数のスリット溝部３３ａ、３３ｂは、図４および図６に示すように、第１の衝撃分散部２８ａの変位部３２と第２の衝撃分散部２８ｂの変位部３２との間に位置する変形体２７の一方（例えば（図６（ｂ）では１２時側）の円周上と、これに対向する変形体２７の他方（例えば（図６（ｂ）では６時側）の円周上とに、それぞれ設けられている。
【００６５】
すなわち、複数のスリット溝部３３ａ、３３ｂのうち、一部のスリット溝部３３ａは、図６（ｂ）に示すように、第１の衝撃分散部２８ａの変位部３２と第２の衝撃分散部２８ｂの変位部３２との間に位置する１２時側の円周上に設けられている。また、複数のスリット溝部３３ａ、３３ｂのうち、他の一部のスリット溝部３３ｂは、第１の衝撃分散部２８ａの変位部３２と第２の衝撃分散部２８ｂの変位部３２との間に位置する６時側の円周上に設けられている。
【００６６】
これにより、変形体２７は、図６（ｂ）および図７に示すように、第１の衝撃分散部２８ａによって衝撃力が、変形体２７の円周方向における一方側、例えば、反時計回り方向に位置する１２時側（図７では上側）に向けて分散されることにより、その分散方向（１２時方向）に位置するスリット溝部３３ａを円周方向に縮む方向に変形させるように構成されている。
【００６７】
また、この変形体２７は、図６（ｂ）および図７に示すように、第１の衝撃分散部２８ａによって衝撃力が、変形体２７の円周方向における一方側、例えば、反時計回り方向に位置する１２時側（図７では上側）に向けて分散されることにより、この分散方向と反対側、例えば、時計回り方向に位置する６時側のスリット溝部３３ｂを円周方向に広げる方向に変形させるように構成されている。
【００６８】
一方、この変形体２７は、図６（ｂ）および図７に示すように、第２の衝撃分散部２８ｂによって衝撃力が、変形体２７の円周方向における一方側と反対側、例えば、時計回り方向に位置する１２時側に向けて分散されることにより、その分散方向（１２時方向）に位置するスリット溝部３３ａを円周方向に縮む方向に変形させるように構成されている。
【００６９】
また、この変形体２７は、図６（ｂ）および図７に示すように、第２の衝撃分散部２８ｂによって衝撃力が、変形体２７の円周方向における一方側と反対側、例えば、反時計回り方向に位置する６時側に向けて分散されることにより、この分散方向と反対側、例えば、時計回り方向に位置する６時側のスリット溝部３３ｂを円周方向に広げる方向に変形させるように構成されている。
【００７０】
このため、この変形体２７は、図６（ｂ）および図７に示すように、外部から衝撃を受けて、第１の衝撃分散部２８ａと第２の衝撃分散部２８ｂとによって衝撃力が分散される際に、その分散方向（図６（ｂ）では１２時側）に位置するスリット溝部３３ａが縮むように変形し、その分散方向（１２時側）に位置する変形体２７が互いに圧縮する方向に変形するように構成されている。
【００７１】
また、この変形体２７は、図６（ｂ）および図７に示すように、外部から衝撃を受けて、第１の衝撃分散部２８ａと第２の衝撃分散部２８ｂとによって衝撃力が分散される際に、その分散方向と反対側（図６（ｂ）では６時側）に位置するスリット溝部３３ｂが広がるように変形して、その分散方向と反対側（６時側）に位置する変形体２７が互いに膨張する方向に変形するように構成されている。
【００７２】
次に、このような腕時計におけるセンサ部１０の作用について説明する。
このセンサ部１０では、センサユニット１２と部品保護装置１３とで構成されていても、腕時計ケース１の外部とセンサユニット１２の内部とが流通路によって連通されていることにより、センサユニット１２内の圧力センサ１４によって腕時計ケース１の外部の圧力が検出される。
【００７３】
すなわち、部品保護装置１３が保護装置２２と緩衝装置２３とで構成され、この緩衝装置２３における本体部２６の収容部２６ａ内に変形体２７を変形可能に取り付けるねじ部材３０の中心部にその軸方向に貫通して流通孔３０ｄが設けられており、この流通孔３０ｄによって腕時計ケース１の外部と保護装置２２の内部との間を連通させる流路が形成されている。
【００７４】
また、この保護装置２２の保護部材２４に設けられた流通部２４ｂと、センサユニット１２の押え部材２０に設けられた流通孔２０ａとによって、保護装置２２の内部とセンサユニット１２の内部との間にこれを連通させる流路が形成されている。このため、これらの流路によって、腕時計ケース１の外部からセンサユニット１２の内部までの間にこれらを連通させる流通路が形成されている。
【００７５】
これにより、このセンサ部１０では、腕時計ケース１の外部からセンサユニット１２の内部までの間に形成された流通路を通して、腕時計ケース１の外部の気圧や水圧などの圧力がセンサユニット１２内の圧力センサ１４に加わる。このため、この圧力センサ１４によって腕時計ケース１の外部の圧力が検出される。
【００７６】
次に、センサ部１０が腕時計ケース１の外部から衝撃を受けた場合について説明する。
この場合には、センサ部１０における部品保護装置１３の緩衝装置２３が腕時計ケース１の外部に露出しているため、この緩衝装置２３が外部から衝撃を受ける。このときには、その衝撃を緩衝装置２３で緩衝すると共に、緩衝装置２３で緩衝しきれない衝撃を部品保護装置１３の保護装置２２で緩衝することにより、センサユニット１２内の圧力センサ１４を良好に保護することができる。
【００７７】
すなわち、緩衝装置２３が腕時計ケース１の外部から衝撃を受ける際には、腕時計ケース１の外装ケース３から外部に露出している緩衝装置２３の変形体２７が衝撃を受ける。このときには、図６（ｂ）および図７に示すように、緩衝装置２３の本体部２６と変形体２７とに設けられた衝撃分散部２８である第１の衝撃分散部２８ａと第２の衝撃分散部２８ｂとによって、衝撃力が変形体２７の円周方向に分散される。
【００７８】
この場合、第１の衝撃分散部２８ａが衝撃力を分散する際には、図６（ｂ）および図７に示すように、第１の衝撃分散部２８ａの変形体２７に設けられた変位部３２の変位傾斜部３２ａが、本体部２６の分散溝部３１の溝傾斜部３１ａに沿って円周方向における一方側、例えば、図６（ｂ）では反時計回り方向に位置する１２時側（図７では斜め左上側）に向けてスライドして変位する。
【００７９】
これと同時に、第２の衝撃分散部２８ｂが衝撃力を分散する際には、図６（ｂ）に示すように、第２の衝撃分散部２８ｂの変形体２７に設けられた変位部３２の変位傾斜部３２ａが、本体部２６の分散溝部３１の溝傾斜部３１ａに沿って円周方向における一方側と反対側、例えば、図６（ｂ）では時計回り方向に位置する１２時側に向けてスライドして変位する。
【００８０】
このため、第１の衝撃分散部２８ａと第２の衝撃分散部２８ｂとによって衝撃力が分散される際には、図６（ｂ）に示すように、その分散方向（例えば１２時側）に位置するスリット溝部３３ａが縮むように変形して、その分散方向（１２時側）に位置する変形体２７が互いに圧縮する方向に変形される。これと同時に、分散方向と反対側（例えば６時側）に位置するスリット溝部３３ｂが広がるように変形して、その分散方向と反対方向（６時側）に位置する変形体２７が互いに膨張する方向に変形する。
【００８１】
これにより、緩衝装置２３は、その変形体２７が受けた衝撃力を変形体２７の円周方向に分散することにより、衝撃を緩衝する。このときには、衝撃分散部２８が衝撃を緩衝すると共に、緩衝装置２３の第２緩衝部材２９も衝撃を緩衝する。すなわち、衝撃分散部２８で衝撃力を変形体２７の円周方向の力に分散させて緩衝すると共に、衝撃分散部２８で分散されない変形体２７の軸方向の衝撃力を、第２緩衝部材２９で緩衝する。このため、緩衝装置２３によって衝撃を良好に緩衝することができる。
【００８２】
また、この緩衝装置２３によって緩衝しきれない衝撃は、保護装置２２によって更に緩衝される。このときには、保護装置２２の第１緩衝部材２５によって衝撃が緩衝され、この第１緩衝部材２５で衝撃を吸収しきれないときは、その衝撃が保護装置２２の保護部材２４に伝わり、この保護部材２４の枠状部２４ａが本体ケース２の外面に押し付けられて弾性変形することにより、第１緩衝部材２５で吸収しきれない衝撃を保護部材２４で受け止める。これにより、センサユニット１２が衝撃を受けないようにすることができる。
【００８３】
すなわち、保護部材２４の枠状部２４ａ内に配置されている押え部材２０および筒状部材１７のフランジ部１７ｂが外部からの衝撃を受けることがないので、センサユニット１２の圧力センサ１４を保護することができると共に、フレキシブルな配線基板１６による圧力センサ１４と時計モジュール６との接続不良を防ぐことができる。また、このときには、筒状部材１７のフランジ部１７ｂも外部からの衝撃を受けることがないので、本体ケース２の貫通孔１１に対応する筒状部材１７のロー付けなどの溶接部が破壊されることがないため、気密性が確保される。
【００８４】
このように、この腕時計のセンサ部１０における部品保護装置１３の緩衝装置２３によれば、収容部２６ａが設けられた本体部２６と、この本体部２６の収容部２６ａ内に配置されて外部に露出する変形体２７と、この変形体２７が外部から衝撃を受けた際に、その衝撃力を変形体２７の円周方向に分散する衝撃分散部２８と、を備えていることにより、衝撃を効率良く緩衝することができ、かつデザイン的にも外観的にも好ましいものを提供することができる。
【００８５】
すなわち、この部品保護装置１３の緩衝装置２３では、変形体２７が外部から衝撃を受けた際に、衝撃分散部２８によって衝撃力を変形体２７の円周方向に分散することができるので、衝撃を効率良く緩衝することができると共に、本体部２６から外部に突出する変形体２７の突出量を最小限に抑えることができるので、デザイン的にも外観的にも好ましいものを提供することができる。
【００８６】
この場合、衝撃分散部２８は、本体部２６の収容部２６ａの内周面に設けられた分散溝部３１と、変形体２７の外周面に設けられて、分散溝部３１内に変形体２７の円周方向に変位可能に配置された変位部３２と、を備えていることにより、変形体２７が外部から衝撃を受けた際に、本体部２６の分散溝部３１内で変形体２７の変位部３２を変形体２７の円周方向に変位させることができ、これにより衝撃を効率良く確実に緩衝することができる。
【００８７】
また、この緩衝装置２３では、分散溝部３１の内部に、変位部３２を衝撃方向と異なる方向に変位させる溝傾斜部３１ａが、変形体２７の円周方向に沿って傾斜して設けられ、変位部３２に変位傾斜部３２ａが、溝傾斜部３１ａにスライド可能に圧接した状態で、溝傾斜部３１ａに沿って円周方向に変位可能に設けられていることにより、変形体２７が外部から衝撃を受けた際に、本体部２６の分散溝部３１内で変形体２７の変位部３２を変形体２７の円周方向に確実にかつ良好に変位させることができる。
【００８８】
すなわち、この緩衝装置２３では、変形体２７が外部から衝撃を受けた際に、変位部３２の変位傾斜部３２ａを分散溝部３１の溝傾斜部３１ａに沿って変形体２７の円周方向にスライドさせることができるので、変形体２７の変位部３２を本体部２６の分散溝部３１内で変形体２７の円周方向に確実にかつ良好に変位させることができ、これにより衝撃を良好に緩衝することができる。
【００８９】
また、この緩衝装置２３では、衝撃分散部２８によって衝撃力を変形体２７の円周方向に分散する際に、変形体２７をその円周方向に変形させるための複数の変形溝部である複数のスリット溝部３３ａ、３３ｂが変形体２７に設けられていることにより、これら複数のスリット溝部３３ａ、３３ｂを衝撃力に応じて変形体２７の円周方向に変形させることができ、これら複数のスリット溝部３３ａ、３３ｂの変形に応じて変形体２７をその円周方向に変形させることができるので、衝撃を確実にかつ良好に緩衝することができる。
【００９０】
この場合、衝撃分散部２８は、変形体２７が外部から衝撃を受けた際に、その変形体２７をその円周方向における一方側に変位させる第１の衝撃分散部２８ａと、変形体２７をその円周方向における一方側と反対側に変位させる第２の衝撃分散部２８ｂと、を備えていることにより、変形体２７が外部から衝撃を受けた際に、第１の衝撃分散部２８ａによって変形体２７をその円周方向における一方側（例えば、反時計回り方向）に向けて分散させることができ、また第２の衝撃分散部２８ｂによって変形体２７をその円周方向における一方側と反対側（例えば、時計回り方向）に向けて分散させることができる。
【００９１】
また、複数のスリット溝部３３ａ、３３ｂは、第１の衝撃分散部２８ａと第２の衝撃分散部２８ｂとの間に位置する変形体２７の一方の円周上と、これに対向する他方の円周上とに、それぞれ設けられていることにより、第１の衝撃分散部２８ａによって変形体２７をその円周方向における一方側（例えば、反時計回り方向）に向けて分散させた際に、その分散方向（例えば１２時側）に位置するスリット溝部３３ａを円周方向に縮むように変形させることができると共に、その分散方向と反対側（例えば６時側）に位置するスリット溝部３３ｂを円周方向に広げるように変形させることができる。
【００９２】
同様に、第２の衝撃分散部２８ｂによって変形体２７をその円周方向における一方側と反対側（例えば、時計回り方向）に向けて分散させた際には、その分散方向（例えば１２時側）に位置するスリット溝部３３ａを円周方向に縮むように変形させることができると共に、その分散方向と反対側（例えば６時側）に位置するスリット溝部３３ｂを円周方向に広げるように変形させることができる。
【００９３】
これにより、この緩衝装置２３では、第１の衝撃分散部２８ａと第２の衝撃分散部２８ｂとによって衝撃力が分散される際に、その分散方向（例えば１２時側）に位置するスリット溝部３３ａを縮むように変形させて、その分散方向（１２時側）に位置する変形体２７を圧縮させる方向に変形させることができ、かつ分散方向と反対側（例えば６時側）に位置するスリット溝部３３ｂを広げるように変形させて、その分散方向と反対方向（６時側）に位置する変形体２７を膨張させる方向に変形させることができ、これにより衝撃を円周方向に分散させて確実にかつ良好に緩衝することができる。
【００９４】
また、この緩衝装置２３では、本体部２６と変形体２７との間に、衝撃分散部２８が衝撃を緩衝する際に、変形体２７の軸方向の衝撃を緩衝する第２緩衝部材２９が配置されていることにより、変形体２７が外部から衝撃を受けて、その衝撃力を衝撃分散部２８によって変形体２７の円周方向の力に分散して緩衝する際に、衝撃分散部２８で分散されない変形体２７の軸方向の衝撃力を第２緩衝部材２９で緩衝することができ、これにより衝撃を確実にかつ良好に緩衝することができる。
【００９５】
さらに、この緩衝装置２３では、本体部２６の収容部２６ａ内に変形体２７を変形可能な状態で取り付ける取付部材であるねじ部材３０を備えていることにより、このねじ部材３０によって変形体２７を本体部２６の収容部２６ａ内に変形可能な状態で良好に取り付けることができる。
【００９６】
すなわち、ねじ部材３０は、ねじ部３０ａと頭部３０ｂと首下部３０ｃと流通孔３０ｄとを備えているので、頭部３０ｂを変形体２７の内部に配置させて、ねじ部３０ａを本体部２６のねじ孔２６ｃに螺合させることにより、変形部２７を本体部２６に対して変形可能な状態で確実に取り付けることができると共に、流通孔３０ｄによって腕時計ケース１の外部と保護装置２２の内部とを連通させることができる。
【００９７】
この場合、ねじ部材３０は、その首下部３０ｃを変形体２７のねじ挿入孔２７ａと第２緩衝部材２９の内部とに挿入させて、本体部２６の底部に当接させることができ、この状態で変形部２７を本体部２６の収容部２６ａ内に取り付けることができるので、首下部３０ｃによって変形体２７を変形可能な状態で本体部２６の収容部２６ａ内に取り付けることができる。
【００９８】
また、このねじ部材３０は、変形部２７を本体部２６の収容部２６ａ内に取り付ける際に、第１の衝撃分散部２８ａと第２の衝撃分散部２８ｂとによって、変形体２７を本体部２６の収容部２６ａ内にガタつかないように、弾力的に保持することができるので、変形体２７が外部から衝撃を受けた際に、変形体２７を確実にかつ良好に変形させることができる。
【００９９】
ところで、この腕時計の部品保護装置１３では、腕時計ケース１に設けられたセンサユニット１２を覆って保護する保護装置２２と、この保護装置２２に対する衝撃を緩衝する緩衝装置２３と、を備えていることにより、外部から衝撃を受けても、その衝撃を緩衝装置２３で緩衝することができると共に、保護装置２２でセンサユニット１２を確実にかつ良好に保護することができる。
【０１００】
すなわち、この部品保護装置１３では、保護装置２２が、腕時計ケース１の外面にセンサユニット１２を覆って固定される保護部材２４と、この保護部材２４の外面に配置される第１緩衝部材２５と、を備えていることにより、緩衝装置２３によって緩衝しきれない衝撃を第１緩衝部材２５によって緩衝することができると共に、この第１緩衝部材２５で衝撃を吸収しきれないときは、保護部材２４が腕時計ケース１の外面に押し付けられて弾性変形することにより、第１緩衝部材２５で吸収しきれない衝撃を保護部材２４によって確実に受け止めることができる。
【０１０１】
このため、この部品保護装置１３によれば、センサユニット１２が外部からの衝撃を受けることがないので、センサユニット１２の圧力センサ１４を確実にかつ良好に保護することができると共に、フレキシブルな配線基板１６による圧力センサ１４と時計モジュール６との接続が衝撃に伴って接続不良を確実に防ぐことができる。
【０１０２】
また、この部品保護装置１３では、腕時計ケース１の外部からセンサユニット１２の内部までの間に形成された流通路を通して、腕時計ケース１の外部の気圧や水圧などの圧力がセンサユニット１２内の圧力センサ１４に加わることにより、この圧力センサ１４によって腕時計ケース１の外部の圧力を正確にかつ良好に検出することができる。
【０１０３】
なお、上述した第１実施形態では、衝撃分散部２８が、本体部２６の収容部２６ａの内周面に設けられた分散溝部３１と、変形体２７の外周面に設けられた変位部３２と、で構成されている場合について述べた、この発明はこれに限らず、例えば衝撃分散部を、本体部２６の収容部２６ａの内周面に設けられた変位部３２と、変形体２７の外周面に設けられた分散溝部３１と、で構成しても良い。このように構成しても、第１実施形態とほぼ同様の作用効果が得られる。
【０１０４】
また、上述した第１実施形態では、第１の衝撃分散部２８ａと第２の衝撃分散部２８ｂとの間に位置する変形体２７の一方の円周上に１つのスリット溝部３３ａを設け、これに対向する他方の円周上に他の１つのスリット溝部３３ｂを設けた場合について述べたが、この発明はこれに限らず、例えば、第１の衝撃分散部２８ａと第２の衝撃分散部２８ｂとの間に位置する変形体２７の一方の円周上に２つ以上の複数のスリット溝部３３ａを設け、これに対向する他方の円周上に２つ以上の複数のスリット溝部３３ｂを設けた構成であっても良い。このように構成すれば、より一層、変形体２７を変形させ易くすることができる。
【０１０５】
さらに、上述した第１実施形態では、腕時計ケース１の貫通孔１１に圧力センサ１４を組み付けた場合について述べたが、この発明はこれに限らず、例えば、圧力センサ１４に替えて、腕時計ケース１の外部の温度を検出する温度センサを用いても良く、また腕時計ケース１の外部の湿度を検出する湿度センサを用いても良い。また、この発明は、腕時計ケース１の外部環境を検出するためのセンサである必要はく、スピーカやマイクロホーンなどの各種の電子部品であっても良い。
【０１０６】
（第２実施形態）
次に、図８〜図１２を参照して、この発明を腕時計に適用した第２実施形態について説明する。なお、図１〜図７に示された第１実施形態と同一部分には同一符号を付して説明する。
この腕時計は、図８および図９に示すように、２時側に位置するスイッチ装置９に部品保護装置４０を設けた構成であり、これ以外は第１実施形態とほぼ同じ構成になっている。
【０１０７】
この場合、腕時計ケース１の本体ケース２は、図９に示すように、硬質の合成樹脂で形成され、その内部に金属製の補強部材２ｂを埋め込んだ構成になっている。また、この腕時計ケース１は、本体ケース２の上端部とこれにと対応する外装ケース３との間に見切り部材３９が設けられ、この見切り部材３９の内周部で時計ガラス４の外周部を覆うように構成されている。
【０１０８】
スイッチ装置９は、図９および図１０に示すように、腕時計ケース１の本体ケース２の貫通孔４３に設けられた操作部材４１と、この操作部材４１を保護する部品保護装置４０と、を備えている。操作部材４１は、本体ケース２に設けられた貫通孔４３にスライド可能に挿入する軸部４４と、この軸部４４の外端部に設けられて、外装ケース３の保護孔４５内にスライド可能に配置された頭部４６と、を備えている。
【０１０９】
この場合、軸部４４は、図９および図１０に示すように、その軸方向の長さが本体ケース２の貫通孔４３の軸方向の長さよりも長く形成されている。これにより、軸部４４は、その内端部が本体ケース２の内部に突出し、外端部が本体ケース２の外部に突出して外装ケース３の保護孔４５内に突出するように構成されている。
【０１１０】
また、この軸部４４の内端部には、図９に示すように、Ｅリングなどの抜止め部材４７が取り付けられている。これにより、軸部４４は、内端部が本体ケース２の内部に突出した状態で、抜止め部材４７が本体ケース２の内周面に接離可能に当接することにより、本体ケース２の外部に抜け出さないように構成されている。
【０１１１】
また、この軸部４４の外周部には、図９および図１０に示すように、複数の防水リング４８がそれぞれ環状に設けられている。これら複数の防水リング４８それぞれは、その外周部が本体ケース２の貫通孔４３の内周面に圧接した状態で摺動することにより、軸部４４の外周面と貫通孔４３の内周面との間の防水を図るように構成されている。
【０１１２】
さらに、この軸部４４の外周部は、図９および図１０に示すように、操作部材４１を腕時計ケース１の外部に向けて付勢するばね部材４９が配置されている。このばね部材４９は、コイルばねであり、軸部４４の外周に配置された状態で、内端部が本体ケース２の外面に弾接し、外端部が頭部４６の内端面に弾接することにより、操作部材４１を腕時計ケース１の外部に向けて付勢するように構成されている。
【０１１３】
一方、頭部４６は、図９および図１０に示すように、その軸方向の長さが外装ケース３に設けられた保護孔４５の軸方向の長さと同じか、それよりも短い長さで形成されている。また、この頭部４６は、その外径が軸部４４の外径よりも大きく、かつ本体ケース２の上下方向の高さよりも短く形成されている。すなわち、この頭部４６は、その外径が外装ケース３の保護孔４５の内径とほぼ同じ大きさに形成されている。
【０１１４】
これにより、操作部材４１は、図９に示すように、通常状態のときに、ばね部材４９のばね力によって腕時計ケース１の外部に向けて押し出され、頭部４６が外装ケース３の保護孔４５から外部に露出し、軸部４４の抜止め部材４７が本体ケース２の内周面に当接することにより、軸部４４の内端部が本体ケース２内の時計モジュール６に設けられたスイッチ部６ａから離れて、スイッチ部６ａをオフ状態にするように構成されている。
【０１１５】
また、この操作部材４１は、図９に示すように、外装ケース３の保護孔４５から外部に露出した頭部４６がばね部材４９のばね力に抗して押し込まれた際に、軸部４４の抜止め部材４７が本体ケース２の内周面から離れて、軸部４４の内端部が本体ケース２の内部に押し込まれることにより、この押し込まれた軸部４４の内端部が時計モジュール６のスイッチ部６ａを押圧して、スイッチ部６ａをオン状態にするように構成されている。
【０１１６】
ところで、部品保護装置４０は、図９〜図１１に示すように、操作部材４１の頭部４６を保護する保護部である外装ケース３の保護孔４５と、頭部４６に設けられて外部からの衝撃を緩衝する緩衝装置４２と、を備えている。保護部である外装ケース３の保護孔４５は、頭部４６の外端部が外装ケース３の外部に露出する状態で、その内部に頭部４６がスライド可能に配置されることにより、頭部４６を保護するように構成されている。
【０１１７】
緩衝装置４２は、図１１（ａ）および図１１（ｂ）に示すように、本体部である操作部材４１の頭部４６と、この頭部４６の収容部４６ａ内に配置されて外部に露出する変形体５０と、この変形体５０が外部から衝撃を受けた際に、その衝撃力を変形体５０の円周方向に分散する衝撃分散部５１と、頭部４６の底部と変形体５０の内端部との間に配置された第２緩衝部材５２と、頭部４６の収容部４６ａ内に変形体５０を変形可能な状態で取り付ける取付部材である両面粘着テープ（図示せず）と、を備えている。
【０１１８】
この場合、頭部４６の収容部４６ａは、図１１（ａ）および図１１（ｂ）に示すように、その内部が円形状に形成されて、外装ケース３の保護孔４５から外部に向けて開放されるように形成されている。変形体５０は、弾力性を有する合成樹脂によってほぼ円筒状に形成され、その外端部が塞がれた構成になっている。
【０１１９】
この変形体５０は、図１１（ａ）および図１１（ｂ）に示すように、その外径が頭部４６の収容部４６ａの内径と同じ大きさに形成され、かつ軸方向の長さが頭部４６の収容部４６ａの軸方向の長さとほぼ同じ長さに形成されている。これにより、変形体５０は、頭部４６の収容部４６ａ内に第２緩衝部材５２を介して配置された状態で、外端部が第２緩衝部材５２の軸方向の長さ（厚み）分だけ頭部４６の収容部４６ａから外部に突出するように構成されている。
【０１２０】
第２緩衝部材５２は、図９および図１１に示すように、ウレタン樹脂、シリコーン樹脂、エラストマなどの弾性材料によって円板状に形成され、頭部４６の収容部４６ａの底面と変形部５０の内端面との間に配置されるように構成されている。すなわち、この第２緩衝部材２９は、その外径が本体部２６の収容部２６ａの内径とほぼ同じ大きさに形成され、変形体５０が外部から衝撃を受けた際に、変形体５０の軸方向の衝撃力を緩衝するように形成されている。
【０１２１】
この場合、取付部材である両面粘着テープ（図示せず）は、第２緩衝部材５２の内面と外面とにそれぞれ設けられ、頭部４６の収容部４６ａ内に変形体５０を変形可能な状態で取り付けるように構成されている。すなわち、この両面粘着テープは、頭部４６の収容部４６ａの底面に第２緩衝部材５２を貼り付けると共に、変形部５０の内端面に第２緩衝部材５２を貼り付けることにより、この第２緩衝部材５２によって頭部４６の収容部４６ａ内に変形体５０を変形可能な状態で取り付けるように構成されている。
【０１２２】
ところで、緩衝装置４２の衝撃分散部５１は、図１１および図１２に示すように、頭部４６の収容部４６ａの内周面に設けられた変位部５３と、変形体５０の外周部に設けられて、変位部５３が内部に配置された状態で、変位部５３によって変形体５０をその円周方向に変位させるための分散溝部５４と、を備え、変形体５０が外部から衝撃を受けた際に、その衝撃力を変形体５０の円周方向に分散させるように構成されている。
【０１２３】
頭部４６内の変位部５３は、図１１および図１２に示すように、頭部４６の軸方向における外端部に、変形体５０を衝撃方向と異なる方向に変位させる変位傾斜部５３ａが、頭部４６の内部側（図１２では左側）から外部側（図１２では右側）に向けて頭部４６の円周方向（図１２では斜め右上側）に傾斜して設けられた構成になっている。
【０１２４】
また、変形体５０の分散溝部５４は、図１１および図１２に示すように、その内部に変位部５３が配置され、変形体５０が外部から衝撃を受けた際に、変位傾斜部５３ａに沿って円周方向（図１２では斜め左下側）に変位する分散傾斜部５４ａが、変位傾斜部５３ａにスライド可能に圧接した状態で設けられた構成になっている。
【０１２５】
また、この変形体５０には、図１１および図１２に示すように、衝撃分散部５１によって衝撃力を変形体５０の円周方向に分散する際に、変形体５０をその円周方向に変形させるための複数の変形溝部５５ａ、５５ｂが設けられている。これら複数の変形溝部５５ａ、５５ｂそれぞれは、変形体５０の外周部にその内端部から外端部に向けて形成されたスリット状の切欠き部である。
【０１２６】
これにより、変形体５０は、図１１および図１２に示すように、衝撃分散部５１によって衝撃力が変形体５０の円周方向に分散される際に、複数の変形溝部５５ａ、５５ｂのうち、一部（図１１（ｂ）では３時側）の変形溝部５５ａが円周方向に縮むように変形し、この一部の変形溝部５５ａの両側に位置する変形体５０の一部が互いに圧縮する方向に変形するように構成されている。
【０１２７】
また、この変形体５０は、図１１および図１２に示すように、衝撃分散部５１によって衝撃力が変形体５０の円周方向に分散される際に、複数の変形溝部５５ａ、５５ｂのうち、他方の一部（図１１（ｂ）では９時側）の変形溝部５５ｂが円周方向に広がるように変形し、この他方の一部の変形溝部５５ｂの両側に位置する変形体５０の他方の一部が互いに膨張する方向に変形するように構成されている。
【０１２８】
すなわち、衝撃分散部５１は、図１１および図１２に示すように、変形体５０が外部から衝撃を受けた際に、変形体５０をその円周方向における一方側（例えば、図１１（ｂ）では時計回り方向）に変位させる第１の衝撃分散部５１ａと、変形体５０をその円周方向における一方側と反対側（例えば、図１１（ｂ）では反時計回り方向）に変位させる第２の衝撃分散部５１ｂと、を備えている。
【０１２９】
これら第１の衝撃分散部５１ａと第２の衝撃分散部５１ｂとは、図１１（ｂ）に示すように、例えば１２時と６時とを結ぶ対角線上に位置して互いに対向して設けられている。すなわち、第１の衝撃分散部５１ａは、例えば１２時側に位置して設けられている。また、第２の衝撃分散部５１ｂは、例えば６時側に位置して設けられている。このため、変形体５０は、第１の衝撃分散部５１ａと第２の衝撃分散部５１ｂとによって頭部４６の収容部４６ａ内にガタつかないように、弾力的に保持されるように構成されている。
【０１３０】
すなわち、変形体５０は、図１１（ｂ）および図１２に示すように、１２時側の第１の衝撃分散部５１ａによって時計回り方向に付勢され、６時側の第２の衝撃分散部５１ｂによって反時計回り方向に付勢されていることにより、変形体５０の円周方向と軸方向とにガタつきが生じないように、頭部４６の収容部４６ａ内に弾力的に保持されるように構成されている。
【０１３１】
この場合、第１の衝撃分散部５１ａは、図１１および図１２に示すように、変位部５３の変位傾斜部５３ａによって変形体５０を衝撃方向と異なる方向に変位させる分散溝部５４の溝傾斜部５４ａが、変形体５０の円周方向における一方側、例えば、反時計回り方向に位置する９時側（図１２では斜め右上側）に向けて次第に競り上がるように傾斜して設けられた構成になっている。
【０１３２】
また、この第１の衝撃分散部５１ａは、図１１および図１２に示すように、変形体５０が外部から衝撃を受けた際に、分散溝部５４の溝傾斜部５４ａが、変位部５３の変位傾斜部５３ａに沿って円周方向における一方側、例えば、時計回り方向に位置する３時側（図１２では斜め左下側）に向けてスライドしながら変位するように構成されている。
【０１３３】
一方、第２の衝撃分散部５１ｂは、図１１および図１２に示すように、変位部５３の変位傾斜部５３ａによって変形体５０を衝撃方向と異なる方向に変位させる分散溝部５４の溝傾斜部５４ａが、変形体５０の円周方向における一方側と反対側、例えば、時計回り方向に位置する９時側（図１２では斜め右上側）に向けて競り上がるように傾斜して設けられた構成になっている。
【０１３４】
また、この第２の衝撃分散部５１ｂは、図１１および図１２に示すように、変形体５０が外部から衝撃を受けた際に、分散溝部５４の溝傾斜部５４ａが、変位部５３の変位傾斜部５３ａに沿って円周方向における一方側と反対側、例えば、反時計回り方向に位置する３時側（図１２では斜め左下側）に向けてスライドしながら変位するように構成されている。
【０１３５】
この場合、複数の変形溝部５５ａ、５５ｂは、図１１（ｂ）に示すように、第１の衝撃分散部５１ａの変位部５３と第２の衝撃分散部５１ｂの変位部５３との間に位置する変形体５０の一方（例えば図１１（ｂ）では３時側）の円周上と、これに対向する変形体５０の他方（例えば図１１（ｂ）では９時側）の円周上とに、それぞれ設けられている。
【０１３６】
すなわち、複数の変形溝部５５ａ、５５ｂのうち、一部の変形溝部５５ａは、図１１（ｂ）に示すように、第１の衝撃分散部５１ａの変位部５３と第２の衝撃分散部５１ｂの変位部５３との間に位置する３時側の円周上に設けられている。また、複数の変形溝部５５ａ、５５ｂのうち、他の一部の変形溝部５５ｂは、第１の衝撃分散部５１ａの変位部５３と第２の衝撃分散部５１ｂの変位部５３との間に位置する９時側の円周上に設けられている。
【０１３７】
これにより、変形体５０は、図１１および図１２に示すように、第１の衝撃分散部５１ａによって衝撃力が、変形体５０の円周方向における一方側、例えば、時計回り方向に位置する３時側（図１２では下側）に向けて分散されることにより、その分散方向（３時方向）に位置する変形溝部５５ａを円周方向に縮む方向に変形させるように構成されている。
【０１３８】
また、この変形体５０は、図１１および図１２に示すように、第１の衝撃分散部５１ａによって衝撃力が、変形体５０の円周方向における一方側、例えば、時計回り方向に位置する３時側に向けて分散されることにより、この分散方向と反対側、例えば、反時計回り方向に位置する９時側の変形溝部５５ｂを円周方向に広げる方向に変形させるように構成されている。
【０１３９】
一方、この変形体５０は、図１１および図１２に示すように、第２の衝撃分散部５１ｂによって衝撃力が、変形体５０の円周方向における一方側と反対側、例えば、反時計回り方向に位置する３時側（図１２では下側）に向けて分散されることにより、その分散方向（３時方向）に位置する変形溝部５５ａを円周方向に縮む方向に変形させるように構成されている。
【０１４０】
また、この変形体５０は、図１１および図１２に示すように、第２の衝撃分散部５１ｂによって衝撃力が、変形体５０の円周方向における一方側と反対側、例えば、反時計回り方向に位置する３時側に向けて分散されることにより、この分散方向と反対側（９時側）に位置する変形溝部５５ｂを円周方向に広げる方向に変形させるように構成されている。
【０１４１】
このため、この変形体５０は、図１１および図１２に示すように、外部から衝撃を受けて、第１の衝撃分散部５１ａと第２の衝撃分散部５１ｂとによって衝撃力が分散される際に、その分散方向（３時側）に位置する変形溝部５５ａが縮むように変形し、その分散方向（３時側）に位置する変形体５０が互いに圧縮する方向に変形するように構成されている。
【０１４２】
また、この変形体５０は、図１１および図１２に示すように、外部から衝撃を受けて、第１の衝撃分散部５１ａと第２の衝撃分散部５１ｂとによって衝撃力が分散される際に、その分散方向と反対側（９時側）に位置する変形溝部５５ｂが広がるように変形して、その分散方向と反対方向（９時側）に位置する変形体２７が互いに膨張する方向に変形するように構成されている。
【０１４３】
この場合、操作部材４１のばね部材４９は、図９〜図１１に示すように、緩衝装置４２が外部の衝撃を受けた際に、少し圧縮されて変形し、緩衝装置４２が外部の衝撃を緩衝しているときに、ほとんど変形せずに、緩衝装置４２で衝撃を緩衝させるように、ばね力が少し強く設定されている。
【０１４４】
次に、このような腕時計におけるスイッチ装置９の作用について説明する。
このスイッチ装置９では、通常状態のときに、操作部材４１がばね部材４９のばね力によって腕時計ケース１の外部に向けて押し出され、頭部４６が外装ケース３の保護孔４５から外部に露出し、軸部４４の抜止め部材４７が本体ケース２の内周面に当接している。これにより、スイッチ装置９は、軸部４４の内端部が本体ケース２内の時計モジュール６に設けられたスイッチ部６ａから離れて、スイッチ部６ａがオフ状態になっている。
【０１４５】
また、このスイッチ装置９では、外装ケース３の保護孔４５から外部に露出した操作部材４１の頭部４６がばね部材４９のばね力に抗して押し込まれた際に、軸部４４の抜止め部材４７が本体ケース２の内周面から離れて、軸部４４の内端部が本体ケース２の内部に押し込まれる。これにより、スイッチ装置９は、押し込まれた軸部４４の内端部が時計モジュール６のスイッチ部６ａを押圧して、スイッチ部６ａがオン状態になる。
【０１４６】
次に、スイッチ装置９が外部から衝撃を受けた場合について説明する。
この場合、操作部材４１のばね部材４９は、緩衝装置４２が外部の衝撃を受けた際に、少し圧縮して変形するが、緩衝装置４２が外部の衝撃を緩衝している間のときには、ほとんど変形せずに、緩衝装置４２で外部の衝撃を緩衝させるように、ばね力が少し強く設定されている。
【０１４７】
このため、このスイッチ装置９は、操作部材４１の頭部４６に設けられて腕時計ケース１の外部に露出した緩衝装置４２が外部から衝撃を受けても、操作部材４１の軸部４４の内端部が本体ケース２内に大きく突出すことがないので、軸部４４の内端部によって本体ケース２内の時計モジュール６のスイッチ部６ａが押圧されることがなく、スイッチ部６ａがオフ状態を維持する。
【０１４８】
このように、緩衝装置４２が外部から衝撃を受けた際には、腕時計ケース１の外装ケース３から外部に露出している緩衝装置４２の変形体５０が衝撃を受ける。このときには、操作部材４１の頭部４６と変形体５０とに設けられた衝撃分散部５１である第１の衝撃分散部５１ａと第２の衝撃分散部５１ｂとによって、衝撃力が変形体５０の円周方向に分散される。
【０１４９】
この場合、第１の衝撃分散部５１ａが衝撃力を分散する際には、第１の衝撃分散部５１ａの変形体５０に設けられた分散溝部５４の溝傾斜部５４ａが、頭部４６に設けられた変位部５３の変位傾斜部５３ａに沿って円周方向における一方側、例えば、時計回り方向に位置する３時側（図１２では斜め左下側）に向けてスライドして変位する。
【０１５０】
これと同時に、第２の衝撃分散部５１ｂが衝撃力を分散する際には、第２の衝撃分散部５１ｂの変形体５０に設けられた分散溝部５４の溝傾斜部５４ａが、頭部４６に設けられた変位部５３の変位傾斜部５３ａに沿って円周方向における一方側と反対側、例えば、反時計回り方向に位置する３時側（図１２では斜め左下側）に向けてスライドして変位する。
【０１５１】
このため、第１の衝撃分散部５１ａと第２の衝撃分散部５１ｂとによって衝撃力が分散される際には、その分散方向（例えば３時側）に位置する変形溝部５５ａが縮むように変形して、その分散方向（３時側）に位置する変形体５０が互いに圧縮する方向に変形される。これと同時に、分散方向と反対側（例えば９時側）に位置する変形溝部５５ｂが広がるように変形して、その分散方向と反対方向（９時側）に位置する変形体５０が互いに膨張する方向に変形する。
【０１５２】
これにより、緩衝装置４２は、変形体５０が受けた衝撃力を変形体５０の円周方向に分散することにより、衝撃を緩衝する。このときには、衝撃分散部５１が衝撃を緩衝すると共に、緩衝装置４２の第２緩衝部材５２も衝撃を緩衝する。すなわち、衝撃分散部５１で衝撃力を変形体５０の円周方向の力に分散して緩衝すると共に、衝撃分散部５１で分散されない変形体５０の軸方向の衝撃力を第２緩衝部材５２で緩衝する。このため、緩衝装置４２によって衝撃を良好に緩衝することができる。
【０１５３】
このように、緩衝装置４２によって衝撃を緩衝する際には、操作部材４１のばね部材４９が少し圧縮されて変形し、操作部材４１が本体ケース２内に向けて少し押し込まれるが、軸部４４の内端部が本体ケース２内の時計モジュール６のスイッチ部６ａを押圧することはない。このため、このスイッチ装置９では、緩衝装置４２とばね部材４９とで衝撃を緩衝することにより、時計モジュール６のスイッチ部６ａが衝撃を受けないように保護することができる。
【０１５４】
このように、この腕時計のスイッチ装置９における部品保護装置４０の緩衝装置４２によれば、収容部４６ａが設けられた本体部である操作部材４１の頭部４６と、この頭部４６の収容部４６ａ内に配置されて外部に露出する変形体５０と、この変形体５０が外部から衝撃を受けた際に、その衝撃力を変形体５０の円周方向に分散する衝撃分散部５１と、を備えていることにより、第１実施形態と同様、衝撃を効率良く緩衝することができ、かつデザイン的にも外観的にも好ましいものを提供することができる。
【０１５５】
すなわち、この部品保護装置４０の緩衝装置４２では、変形体５０が外部から衝撃を受けた際に、衝撃分散部５１によって衝撃力を変形体５０の円周方向に分散することができるので、第１実施形態と同様、衝撃を効率良く緩衝することができると共に、頭部４６から外部に突出する変形体５０の突出量を最小限に抑えることができるので、デザイン的にも外観的にも好ましいものを提供することができる。
【０１５６】
この場合、衝撃分散部５１は、頭部４６の収容部４６ａの内周面に設けられた変位部５３と、変形体５０の外周部に設けられて、変位部５３が内部に配置された状態で、この変位部５３によって変形体５０をその円周方向に変位させる分散溝部５４と、を備えていることにより、変形体５０が外部から衝撃を受けた際に、変形体５０の分散溝部５４内に配置された頭部４６の変位部５３が、分散溝部５４を変形体５０の円周方向に変位させることができ、これにより衝撃を効率良く緩衝することができる。
【０１５７】
また、この緩衝装置４２では、頭部４６の変位部５３に、変形体５０の分散溝部５４を衝撃方向と異なる方向に変位させる変位傾斜部５３ａが、変形体５０の円周方向に沿って傾斜して設けられ、変形体５０の分散溝部５４の内部に、頭部４６の変位傾斜部５３ａにスライド可能に圧接する溝傾斜部５４ａが、変位傾斜部５３ａに沿って円周方向に変位可能に設けられていることにより、変形体５０が外部から衝撃を受けた際に、頭部４６の変位部５３によって変形体５０の分散溝部５４を変形体５０の円周方向に確実にかつ良好に変位させることができる。
【０１５８】
すなわち、この緩衝装置４２では、変形体５０が外部から衝撃を受けた際に、頭部４６の変位傾斜部５３ａに沿って変形体５０の分散溝部５４の溝傾斜部５４ａを変形体５０の円周方向にスライドさせることができるので、変形体５０の分散溝部５４を頭部４６の変位部５３によって変形体５０の円周方向に確実にかつ良好に変位させることができ、これにより衝撃を良好に緩衝することができる。
【０１５９】
また、この緩衝装置４２では、衝撃分散部５１によって衝撃力を変形体５０の円周方向に分散する際に、変形体５０をその円周方向に変形させるための複数の変形溝部５５ａ、５５ｂが変形体５０に設けられていることにより、これら複数の変形溝部５５ａ、５５ｂを衝撃力に応じて変形体５０の円周方向に変形させることができ、これら複数の変形溝部５５ａ、５５ｂの変形に応じて変形体５０をその円周方向に変形させることができるので、衝撃を良好に緩衝することができる。
【０１６０】
この場合、衝撃分散部５１は、変形体５０が外部から衝撃を受けた際に、変形体５０をその円周方向における一方側に変位させる第１の衝撃分散部５１ａと、変形体５０をその円周方向における一方側と反対側に変位させる第２の衝撃分散部５１ｂと、を備えていることにより、変形体５０が外部から衝撃を受けた際に、第１の衝撃分散部５１ａによって変形体５０をその円周方向における一方側（例えば、時計回り方向）に向けて分散させることができ、また第２の衝撃分散部５１ｂによって変形体５０をその円周方向における一方側と反対側（例えば、反時計回り方向）に向けて分散させることができる。
【０１６１】
また、複数の変形溝部５５ａ、５５ｂは、第１の衝撃分散部５１ａと第２の衝撃分散部５２ｂとの間に位置する変形体５０の一方の円周上と、これに対向する他方の円周上とに、それぞれ設けられていることにより、第１の衝撃分散部５１ａによって変形体５０をその円周方向における一方側（例えば、時計回り方向）に向けて分散させた際に、その分散方向（例えば３時側）に位置する変形溝部５５ａを円周方向に縮むように変形させることができると共に、その分散方向と反対側（例えば９時側）に位置する変形溝部５５ｂを円周方向に広げるように変形させることができる。
【０１６２】
同様に、第２の衝撃分散部５１ｂによって変形体５０をその円周方向における一方側と反対側（例えば、反時計回り方向）に向けて分散させた際には、その分散方向（例えば３時側）に位置する変形溝部５５ａを円周方向に縮むように変形させることができると共に、その分散方向と反対側（例えば９時側）に位置する変形溝部５５ｂを円周方向に広げるように変形させることができる。
【０１６３】
これにより、この緩衝装置４２では、第１の衝撃分散部５１ａと第２の衝撃分散部５１ｂとによって衝撃力が分散される際に、その分散方向（例えば３時側）に位置する変形溝部５５ａを縮むように変形させて、その分散方向（３時側）に位置する変形体５０を圧縮させる方向に変形させることができ、かつ分散方向と反対側（例えば９時側）に位置する変形溝部５５ｂを広げるように変形させて、その分散方向と反対方向（９時側）に位置する変形体５０を膨張させる方向に変形させることができ、これにより衝撃を円周方向に分散させて確実にかつ良好に緩衝することができる。
【０１６４】
また、この緩衝装置４２では、頭部４６と変形体５０との間に、衝撃分散部５１が衝撃を緩衝する際に、変形体５０の軸方向の衝撃を緩衝する第２緩衝部材５２が配置されていることにより、変形体５０が外部から衝撃を受けて、その衝撃力を衝撃分散部５１によって変形体５０の円周方向の力に分散して緩衝する際に、衝撃分散部５１で分散さない変形体５０の軸方向の衝撃力を第２緩衝部材５２で緩衝することができ、これにより衝撃を確実にかつ良好に緩衝することができる。
【０１６５】
さらに、この緩衝装置４２では、頭部４６の収容部４６ａ内に変形体５０を変形可能な状態で取り付ける取付部材である両面粘着テープ（図示せず）を備えていることにより、第２緩衝部材５２を介して変形体５０を頭部４６の収容部４６ａ内に変形可能な状態で良好に取り付けることができる。すなわち、この取付部材である両面粘着テープは、第２緩衝部材５２を頭部４６の収容部４６ａの底部に貼り付け、かつこの第２緩衝部材５２に変形体５０の内端面を貼り付けることにより、この第２緩衝部材５２によって変形部５０を頭部４６に対して変形可能な状態で確実に取り付けることができる。
【０１６６】
この場合、この緩衝装置４２では、第１の衝撃分散部５１ａと第２の衝撃分散部５１ｂとによって頭部４６の収容部４６ａ内に変形体５０がガタつかないように、変形体５０を頭部４６の収容部４６ａ内に弾力的に保持することができる。すなわち、変形体５０は、１２時側の第１の衝撃分散部５１ａによって時計回り方向に付勢され、６時側の第２の衝撃分散部５１ｂによって反時計回り方向に付勢されていることにより、変形体５０の円周方向と軸方向とにガタつきが生じないように、変形体５０を頭部４６の収容部４６ａ内に弾力的に保持することができる。
【０１６７】
ところで、この腕時計の部品保護装置４０では、腕時計ケース１の本体ケース２に設けられた貫通孔４３にスライド可能に設けられた操作部材４１の頭部４６を覆って保護する外装ケース３の保護孔４５と、操作部材４１の頭部４６に対する衝撃を緩衝する緩衝装置４２と、を備えていることにより、外装ケース３の保護孔４５によって操作部材４１の頭部４６を保護することができ、かつこの頭部４６が外部から衝撃を受けても、その衝撃を頭部４６の緩衝装置４２で良好に緩衝することができる。
【０１６８】
このため、この部品保護装置４０によれば、スイッチ装置９の操作部材４１が外部からの衝撃を受けた際に、操作部材４１のばね部材４９が少し圧縮変形して、操作部材４１が本体ケース２内に向けて少し押し込まれても、軸部４４の内端部が本体ケース２内の時計モジュール６のスイッチ部６ａを押圧することはないので、緩衝部材４２とばね部材４９とで衝撃を確実に緩衝することができ、これにより時計モジュール６のスイッチ部６ａが衝撃を受けないように良好に保護することができる。
【０１６９】
なお、上述した第２実施形態では、衝撃分散部５１が、頭部４６の収容部４６ａの内周面に設けられた変位部５３と、変形体５０の外周面に設けられた分散溝部５４と、で構成されている場合について述べた、この発明はこれに限らず、例えば衝撃分散部を、頭部４６の収容部４６ａの内周面に設けられた分散溝部５４と、変形体５０の外周面に設けられた変位部５３と、で構成しても良い。このように構成しても、第２実施形態とほぼ同様の作用効果が得られる。
【０１７０】
また、上述した第２実施形態では、第１の衝撃分散部５１ａと第２の衝撃分散部５１ｂとの間に位置する変形体５０の一方の円周上に１つのスリット溝部５５ａを設け、これに対向する他方の円周上に他の１つのスリット溝部５５ｂを設けた場合について述べたが、この発明はこれに限らず、例えば、第１の衝撃分散部５１ａと第２の衝撃分散部５１ｂとの間に位置する変形体５０の一方の円周上に２つ以上の複数のスリット溝部５５ａを設け、これに対向する他方の円周上に２つ以上の複数のスリット溝部５５ｂを設けた構成であっても良い。このように構成すれば、より一層、変形体５０を変形させ易くすることができる。
【０１７１】
さらに、上述した第１、第２の実施形態およびその各変形例では、腕時計に適用した場合について述べたが、この発明は必ずしも腕時計である必要はなく、例えばトラベルウオッチ、目覚まし時計、置き時計、掛け時計などの各種の時計に適用することができる。また、この発明は必ずしも時計である必要はなく、例えば携帯電話機や携帯情報端末機などの電子機器に広く適用することができる。
【０１７２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１７３】
（付記）
請求項１に記載の発明は、収容部が設けられた本体部と、前記本体部の前記収容部内に配置されて外部に露出する変形体と、前記変形体が外部から衝撃を受けた際に、その衝撃力を前記変形体の円周方向に分散する衝撃分散部と、を備えていることを特徴とする緩衝装置である。
【０１７４】
請求項２に記載の発明は、請求項１に記載の緩衝装置において、前記衝撃分散部は、前記本体部の前記収容部の内周面と前記変形体の外周面との一方に設けられた分散溝部と、前記本体部の前記収容部の内周面と前記変形体の外周面との他方に設けられ、前記分散溝部内に配置されて、前記変形体が外部から衝撃を受けた際に、前記変形体をその円周方向に変位させる変位部と、を備えていることを特徴とする緩衝装置である。
【０１７５】
請求項３に記載の発明は、請求項２に記載の緩衝装置において、前記分散溝部の内部には、前記変位部を衝撃方向と異なる方向に相対的に変位させる溝傾斜部が、前記変形体の円周方向に沿って傾斜して設けられており、前記変位部には、前記変形体が外部から衝撃を受けた際に、前記溝傾斜部に沿って円周方向に相対的に変位する変位傾斜部が、前記溝傾斜部にスライド可能に圧接して設けられていることを特徴とする緩衝装置である。
【０１７６】
請求項４に記載の発明は、請求項１〜請求項３のいずれかに記載の緩衝装置において、前記変形体は、前記衝撃分散部によって衝撃力を前記変形体の円周方向に分散する際に、前記変形体をその円周方向に変形させるための複数の変形溝部を備えていることを特徴とする緩衝装置である。
【０１７７】
請求項５に記載の発明は、請求項１〜請求項４のいずれかに記載の緩衝装置において、前記衝撃分散部は、前記変形体が外部から衝撃を受けた際に、前記変形体をその円周方向における一方側に変位させる第１の衝撃分散部と、前記変形体をその円周方向における前記一方側と反対側に変位させる第２の衝撃分散部と、を備えていることを特徴とする緩衝装置である。
【０１７８】
請求項６に記載の発明は、請求項４に記載の緩衝装置において、前記複数の変形溝部は、前記第１の衝撃分散部と前記第２の衝撃分散部との間に位置する前記変形体の一方の円周上と、これに対向する前記変形体の他方の円周上とに、それぞれ設けられていることを特徴とする緩衝装置である。
【０１７９】
請求項７に記載の発明は、請求項１〜請求項６のいずれかに記載の緩衝装置において、前記本体部と前記変形体との間には、前記衝撃分散部が衝撃力を前記変形体の円周方向に分散させて緩衝する際に、前記衝撃分散部で分散されない前記変形体の軸方向の衝撃力を緩衝する緩衝部材が配置されていることを特徴とする緩衝装置である。
【０１８０】
請求項８に記載の発明は、請求項１〜請求項７のいずれかに記載の緩衝装置において、前記本体部の前記収容部内に前記変形体を変形可能な状態で取り付ける取付部材を備えていることを特徴とする緩衝装置である。
【０１８１】
請求項９に記載の発明は、請求項１〜請求項８のいずれかに記載された緩衝装置と、機器ケースに設けられて前記緩衝装置で保護される部品と、を備えていることを特徴とする部品保護装置である。
【０１８２】
請求項１０に記載の発明は、請求項９に記載の部品保護装置において、前記部品は、前記機器ケースに設けられた貫通孔内に配置されたセンサユニットのセンサであることを特徴とする部品保護装置である。
【０１８３】
請求項１１に記載の発明は、請求項９に記載の部品保護装置において、前記部品は、前記機器ケースに設けられた貫通孔内にスライド可能に配置されたスイッチ装置の操作部材であることを特徴とする部品保護装置である。
【０１８４】
請求項１２に記載の発明は、請求項９〜請求項１１のいずれかに記載された部品保護装置を備えていることを特徴とする時計である。
【符号の説明】
【０１８５】
１  腕時計ケース
２  本体ケース
３  外装ケース
６  時計モジュール
６ａ  スイッチ部
９  スイッチ装置
１０  センサ部
１１、４３  貫通孔
１２センサユニット
１３、４０  部品保護装置
１４  圧力センサ
２１  ビス
２２  保護装置
２３、４２  緩衝装置
２４  保護部材
２５  第１緩衝部材
２６  本体部
２６ａ、４６ａ  収容部
２７、５０  変形体
２８、５１  衝撃分散部
２８ａ、５１ａ  第１の衝撃分散部
２８ｂ、５１ｂ  第２の衝撃分散部
２９、５２  第２緩衝部材
３０  ねじ部材
３１、５４  分散溝部
３１ａ、５４ａ  溝傾斜部
３２、５３  変位部
３２ａ、５３ａ  変位傾斜部
３３ａ、３３ｂ  スリット溝部
４１  操作部材
４４  軸部
４５  保護孔
４６  頭部
５５ａ、５５ｂ  変形溝部
【図１】
2017227449.tif 000003
【図２】
2017227449.tif 000004
【図３】
2017227449.tif 000005
【図４】
2017227449.tif 000006
【図５】
2017227449.tif 000007
【図６】
2017227449.tif 000008
【図７】
2017227449.tif 000009
【図８】
2017227449.tif 000010
【図９】
2017227449.tif 000011
【図１０】
2017227449.tif 000012
【図１１】
2017227449.tif 000013
【図１２】
2017227449.tif 000014